(57)【要約】【課題】  浸透性、蒸発特性及び撥水性に優れ、しかもインクジェット記録装置の筐体等を形成する樹脂材料を劣化させることのないインクジェット記録用水性インクを提供する。【解決手段】  着色剤、水、浸透剤及び界面活性剤を含むインクジェット記録用水性インクであって、前記浸透剤が、ジエチレングリコール−ｎ−ヘキシルエーテル（Ａ）を含み、前記界面活性剤が、アセチレングリコール系界面活性剤（Ｂ１）及びポリオキシエチレンアルキルエーテル硫酸ナトリウム（Ｂ２）を含み、前記（Ａ）、前記（Ｂ１）及び前記（Ｂ２）が、それぞれ、所定の条件を満たす割合で配合されていることを特徴とする。前記所定の条件を満たすことで、前記（Ａ）の配合量（ｘ）、前記（Ｂ１）の配合量（ｙ）及び前記（Ｂ２）の配合量（ｚ）は、図１に示すｘｙｚ座標系の平面Ｐ１〜Ｐ１４によって囲まれた空間内、即ち、前記Ｐ１〜Ｐ１４を境界面とする十四面体の内部に含まれる。【選択図】  図１
2010077279.tif 000002
【特許請求の範囲】
【請求項１】
着色剤、水、浸透剤および界面活性剤を含むインクジェット記録用水性インクであって、
前記浸透剤が、ジエチレングリコール−ｎ−ヘキシルエーテル（Ａ）を含み、
前記界面活性剤が、アセチレングリコール系界面活性剤（Ｂ１）およびポリオキシエチレンアルキルエーテル硫酸ナトリウム（Ｂ２）を含み、
前記（Ａ）、前記（Ｂ１）および前記（Ｂ２）が、それぞれ、下記の条件（ａ）〜（ｄ）のうちの少なくとも一つの条件を満たす割合で配合されていることを特徴とするインクジェット記録用水性インク。
条件（ａ）：式（ａ１）〜（ａ５）をすべて満たす。
ｘ≧０．０５      （ａ１）
４０．３ｘ＋２２８．１５ｙ−１４６．２５ｚ＋８１．９３２５≧０      （ａ２）
１２４．６ｘ＋２２．０５ｙ−７８．７５ｚ−６．０７２５≦０      （ａ３）
ｙ≧２ｘ／９＋３．０５／９      （ａ４）
ｙ≦−ｘ／３＋１．８５／３      （ａ５）
条件（ｂ）：式（ｂ１）〜（ｂ５）をすべて満たす。
ｘ≦０．５０      （ｂ１）
５６ｘ＋６３ｙ−１１２．５ｚ＋１０１．１５≧０      （ｂ２）
２．００２ｘ＋２．６４６ｙ−１．５７５ｚ−０．８６８７≦０      （ｂ３）
ｙ≧−ｘ／３＋１．１／３      （ｂ４）
ｙ≦２ｘ／９＋３．０５／９      （ｂ５）
条件（ｃ）：式（ｃ１）〜（ｃ５）をすべて満たす。
ｘ≧０．５０      （ｃ１）
２．８ｘ−１４ｙ＋２５ｚ−３０．１≦０      （ｃ２）
１２．６ｘ＋４２ｙ−２５ｚ−４．２≦０      （ｃ３）
ｙ≧ｘ／５＋０．１      （ｃ４）
ｙ≦−３ｘ／１０＋０．６      （ｃ５）
条件（ｄ）：式（ｄ１）〜（ｄ５）をすべて満たす。
ｘ≦１．００      （ｄ１）
１４ｘ−７０ｙ＋７５ｚ−８７．５≦０      （ｄ２）
１．４ｘ＋１４ｙ−５ｚ−１．４≦０      （ｄ３）
ｙ≧−ｘ／１０＋０．２５      （ｄ４）
ｙ≦ｘ／５＋０．１      （ｄ５）
ｘ：前記インク全量に対する前記（Ａ）の配合量（重量％）
ｙ：前記インク全量に対する前記（Ｂ１）の配合量（重量％）
ｚ：前記インク全量に対する前記（Ｂ２）の配合量（重量％）
【請求項２】
前記（Ｂ１）が、一般式（１）で表される界面活性剤を含む請求項１記載のインクジェット記録用水性インク。
【化１】
2010077279.tif 000007
一般式（１）において、ｍおよびｎは、ｍ＋ｎ＝０〜２０を満たす数であり、ｍおよびｎは同一でも異なっていてもよく、
Ｒ１、Ｒ２、Ｒ３およびＲ４は、それぞれ、炭素原子数１〜５の直鎖状または分岐鎖状アルキル基であり、Ｒ１、Ｒ２、Ｒ３およびＲ４は同一でも異なっていてもよい。
【請求項３】
前記（Ｂ２）におけるポリオキシエチレン重合度が、０〜９である請求項１または２記載のインクジェット記録用水性インク。
【請求項４】
前記（Ｂ２）におけるアルキル基が、炭素原子数１０〜１６の直鎖アルキル基である請求項１〜３のいずれか一項に記載のインクジェット記録用水性インク。
【請求項５】
インクジェット記録用水性インクを含むインクカートリッジであって、前記インクが、請求項１〜４のいずれか一項に記載のインクジェット記録用水性インクであることを特徴とするインクカートリッジ。
【請求項６】
前記インクカートリッジが、ポリプロピレン、ポリエチレン、アクリロニトリル−ブタジエン−スチレン共重合合成樹脂、アクリロニトリル−エチレン−スチレン共重合合成樹脂およびポリスチレンからなる群から選択される少なくとも一種の樹脂で形成されている請求項５記載のインクカートリッジ。
【請求項７】
インクカートリッジおよびインク吐出手段を含み、前記インクカートリッジ中のインクが、前記インク吐出手段から吐出されるインクジェット記録装置であって、前記インクカートリッジが請求項５または６記載のインクカートリッジであることを特徴とするインクジェット記録装置。
【発明の詳細な説明】
【技術分野】
【０００１】
本発明は、インクジェット記録用水性インク、インクカートリッジおよびインクジェット記録装置に関する。
【背景技術】
【０００２】
近年、インクジェット印刷の分野では、普通紙印字において、レーザー印刷並みの印字速度の高速化が求められている。印字速度の高速化を達成するための一つの方法として、普通紙における印字ドット数を減らし、インクの浸透性を高める方法があげられる。前記インクの浸透性は、前記インクに、浸透剤を添加することで高めることができる。例えば、前記浸透剤として、ジエチレングリコール−ｎ−ヘキシルエーテル（ＤＥＧＨＥ）を用いたインクが提案されている（特許文献１〜１４）。
【０００３】
【特許文献１】特開平１−２６６１７３号公報
【特許文献２】特開平３−１４８８１号公報
【特許文献３】特開平４−１５３２７９号公報
【特許文献４】特開平８−６７８４０号公報
【特許文献５】特開平１１−１６６１４４号公報
【特許文献６】特開平１１−２５６０８７号公報
【特許文献７】特開平９−１１１１６５号公報
【特許文献８】特開２００７−３０２８０２号公報
【特許文献９】特開２００７−３０２８１０号公報
【特許文献１０】特開２００８−３１２６０号公報
【特許文献１１】特開２００８−１２０９７７号公報
【特許文献１２】特開平１１−１２４５２４号公報
【特許文献１３】特開平１１−１１６８６３号公報
【特許文献１４】特開２００５−８９７１３号公報
【発明の開示】
【発明が解決しようとする課題】
【０００４】
しかし、前記インクに前記ＤＥＧＨＥを多量に添加すると、前記インクの蒸発特性が悪化し、前記インクの固化、着色剤の沈殿、凝集、ひいてはインクジェットヘッドのノズルが目詰まりしやすくなることで、不吐出を生じる原因となる。また、前記インクに前記ＤＥＧＨＥを多量に添加すると、前記インクがインクジェット記録装置の筐体等を形成する樹脂材料に付着した際、前記筐体等から前記インクを除去しづらく、前記筐体等にインク汚れが付着したままの状態となりやすく、前記インクが長期間付着したままとなると前記筐体等を形成する前記樹脂材料の劣化原因となる。さらに、前記ＤＥＧＨＥは、水溶性が低いため、充分な浸透力を得るために必要な量をインク中に添加できないという問題がある。また、前記ＤＥＧＨＥは、撥水性が低いため、前記ＤＥＧＨＥを用いたインクは、インクカートリッジ壁面にインクが付着しやすく、インク残量を外側から確認できないという問題およびインクが無駄になるという問題を生じる。
【０００５】
そこで、本発明は、浸透性、蒸発特性および撥水性に優れ、インクジェット記録装置の筐体等を形成する樹脂材料を劣化させることのないインクジェット記録用水性インクを提供することを目的とする。
【課題を解決するための手段】
【０００６】
前記目的を達成するために、本発明のインクジェット記録用水性インクは、
着色剤、水、浸透剤および界面活性剤を含むインクジェット記録用水性インクであって、
前記浸透剤が、ジエチレングリコール−ｎ−ヘキシルエーテル（ＤＥＧＨＥ；（Ａ））を含み、
前記界面活性剤が、アセチレングリコール系界面活性剤（Ｂ１）およびポリオキシエチレンアルキルエーテル硫酸ナトリウム（Ｂ２）を含み、
前記（Ａ）、前記（Ｂ１）および前記（Ｂ２）が、それぞれ、下記の条件（ａ）〜（ｄ）のうちの少なくとも一つの条件を満たす割合で配合されていることを特徴とする。
条件（ａ）：式（ａ１）〜（ａ５）をすべて満たす。
ｘ≧０．０５      （ａ１）
４０．３ｘ＋２２８．１５ｙ−１４６．２５ｚ＋８１．９３２５≧０      （ａ２）
１２４．６ｘ＋２２．０５ｙ−７８．７５ｚ−６．０７２５≦０      （ａ３）
ｙ≧２ｘ／９＋３．０５／９      （ａ４）
ｙ≦−ｘ／３＋１．８５／３      （ａ５）
条件（ｂ）：式（ｂ１）〜（ｂ５）をすべて満たす。
ｘ≦０．５０      （ｂ１）
５６ｘ＋６３ｙ−１１２．５ｚ＋１０１．１５≧０      （ｂ２）
２．００２ｘ＋２．６４６ｙ−１．５７５ｚ−０．８６８７≦０      （ｂ３）
ｙ≧−ｘ／３＋１．１／３      （ｂ４）
ｙ≦２ｘ／９＋３．０５／９      （ｂ５）
条件（ｃ）：式（ｃ１）〜（ｃ５）をすべて満たす。
ｘ≧０．５０      （ｃ１）
２．８ｘ−１４ｙ＋２５ｚ−３０．１≦０      （ｃ２）
１２．６ｘ＋４２ｙ−２５ｚ−４．２≦０      （ｃ３）
ｙ≧ｘ／５＋０．１      （ｃ４）
ｙ≦−３ｘ／１０＋０．６      （ｃ５）
条件（ｄ）：式（ｄ１）〜（ｄ５）をすべて満たす。
ｘ≦１．００      （ｄ１）
１４ｘ−７０ｙ＋７５ｚ−８７．５≦０      （ｄ２）
１．４ｘ＋１４ｙ−５ｚ−１．４≦０      （ｄ３）
ｙ≧−ｘ／１０＋０．２５      （ｄ４）
ｙ≦ｘ／５＋０．１        （ｄ５）
ｘ：前記インク全量に対する前記（Ａ）の配合量（重量％）
ｙ：前記インク全量に対する前記（Ｂ１）の配合量（重量％）
ｚ：前記インク全量に対する前記（Ｂ２）の配合量（重量％）
本発明において、「条件（ａ）〜（ｄ）のうちの少なくとも一つの条件を満たす」とは、条件（ａ）〜（ｄ）のうちの一つ〜三つの条件を満たすことを意味する。
【発明の効果】
【０００７】
本発明者等は、一連の研究を重ねたところ、インクジェット記録用水性インクにおいて、浸透剤として、前記ＤＥＧＨＥ（Ａ）を用い、かつ、前記アセチレングリコール系界面活性剤（Ｂ１）および前記ポリオキシエチレンアルキルエーテル硫酸ナトリウム（Ｂ２）を含ませ、さらに、前記（Ａ）、前記（Ｂ１）および前記（Ｂ２）を前記条件（ａ）〜（ｄ）のうちの少なくとも一つの条件を満たす割合で配合することで、浸透性、蒸発特性および撥水性に優れ、しかも、インクジェット記録装置の筐体等を形成する樹脂材料を劣化させることのないインクが得られることを見出し、本発明に至った。
【発明を実施するための最良の形態】
【０００８】
本発明において、「インクの撥水性」とは、例えば、前記インクがインクカートリッジ壁面に接した場合、前記インクカートリッジ壁面（表面）にはじかれる前記インクの性質を意味する。前記撥水性が高いほど、前記インクが前記カートリッジ壁面に付着しにくくなる。
【０００９】
本発明のインクジェット記録用水性インクにおいて、前記インク全量に対する、前記（Ａ）の配合量（ｘ）、前記（Ｂ１）の配合量（ｙ）および前記（Ｂ２）の配合量（ｚ）は、図１に示すｘｙｚ座標系の平面Ｐ１〜Ｐ１４によって囲まれた空間内、すなわち、前記Ｐ１〜Ｐ１４を境界面とする十四面体の内部に含まれる。
【００１０】
本発明のインクジェット記録用水性インクにおいて、前記（Ｂ１）は、一般式（１）で表されるアセチレングリコール系界面活性剤を含むことが好ましい。
【化１】
2010077279.tif 000003
一般式（１）において、ｍおよびｎは、ｍ＋ｎ＝０〜２０を満たす数であり、ｍおよびｎは同一でも異なっていてもよく、
Ｒ１、Ｒ２、Ｒ３およびＲ４は、それぞれ、炭素原子数１〜５の直鎖状または分岐鎖状アルキル基であり、Ｒ１、Ｒ２、Ｒ３およびＲ４は同一でも異なっていてもよい。
【００１１】
本発明のインクジェット記録用水性インクにおいて、前記（Ｂ２）におけるポリオキシエチレン重合度が、０〜９であることが好ましい。
【００１２】
本発明のインクジェット記録用水性インクにおいて、前記（Ｂ２）におけるアルキル基が、炭素原子数１０〜１６の直鎖アルキル基であることが好ましい。
【００１３】
本発明のインクカートリッジは、インクジェット記録用水性インクを含むインクカートリッジであって、前記インクが、本発明のインクジェット記録用水性インクであることを特徴とする。
【００１４】
本発明のインクカートリッジは、ポリプロピレン（ＰＰ）、ポリエチレン（ＰＥ）、アクリロニトリル−ブタジエン−スチレン共重合合成樹脂（ＡＢＳ樹脂）、アクリロニトリル−エチレン−スチレン共重合合成樹脂（ＡＥＳ樹脂）およびポリスチレン（ＰＳ）からなる群から選択される少なくとも一種の樹脂で形成されていることが好ましく、特に、ポリプロピレン（ＰＰ）で形成されていることが好ましい。
【００１５】
本発明のインクジェット記録装置は、インクカートリッジおよびインク吐出手段を含み、前記インクカートリッジ中のインクが、前記インク吐出手段から吐出されるインクジェット記録装置であって、前記インクカートリッジが本発明のインクカートリッジであることを特徴とする。
【００１６】
つぎに、本発明のインクジェット記録用水性インクについて詳細に説明する。本発明のインクジェット記録用水性インク（以下、単に「インク」と言うことがある）は、着色剤、水、浸透剤および界面活性剤を含む。
【００１７】
前記着色剤は、特に限定されず、顔料または染料のいずれであってもよい。また、前記着色剤として、顔料および染料を混合して用いてもよい。
【００１８】
前記顔料は、限定されず、例えば、カーボンブラック、無機顔料および有機顔料等が使用できる。前記カーボンブラックとしては、例えば、ファーネスブラック、ランプブラック、アセチレンブラック、チャンネルブラック等があげられる。前記無機顔料としては、例えば、酸化チタン、酸化鉄系無機顔料およびカーボンブラック系無機顔料等をあげることができる。前記有機顔料としては、例えば、アゾレーキ、不溶性アゾ顔料、縮合アゾ顔料、キレートアゾ顔料等のアゾ顔料；フタロシアニン顔料、ペリレンおよびペリノン顔料、アントラキノン顔料、キナクリドン顔料、ジオキサジン顔料、チオインジゴ顔料、イソインドリノン顔料、キノフタロン顔料等の多環式顔料；塩基性染料型レーキ顔料、酸性染料型レーキ顔料等の染料レーキ顔料；ニトロ顔料、ニトロソ顔料、アニリンブラック昼光蛍光顔料等があげられる。また、その他の顔料であっても水相に分散可能なものであれば使用できる。これら顔料としては、例えば、Ｃ．Ｉ．ピグメントブラック１、６および７；Ｃ．Ｉ．ピグメントイエロー１、２、３、１２、１３、１４、１５、１６、１７、５５、７３、７４、７５、８３、９３、９４、９５、９７、９８、１１４、１２８、１２９、１３８、１５０、１５１、１５４、１８０、１８５および１９４；Ｃ．Ｉ．ピグメントオレンジ３１および４３；Ｃ．Ｉ．ピグメントレッド２、３、５、６、７、１２、１５、１６、４８、４８：１、５３：１、５７、５７：１、１１２、１２２、１２３、１３９、１４４、１４６、１４９、１６６、１６８、１７５、１７６、１７７、１７８、１８４、１８５、１９０、２０２、２２１、２２２、２２４および２３８；Ｃ．Ｉ．ピグメントバイオレット１９６；Ｃ．Ｉ．ピグメントブルー１、２、３、１５、１５：１、１５：２、１５：３、１５：４、１６、２２および６０；Ｃ．Ｉ．ピグメントグリーン７および３６等があげられる。
【００１９】
前記顔料は、自己分散型顔料を含んでもよい。前記自己分散型顔料は、例えば、顔料粒子の表面にカルボキシル基、カルボニル基、ヒドロキシル基、スルホン基等の親水性官能基およびそれらの塩の少なくとも一種が、直接または多価の基を介して化学結合により導入されていることによって、分散剤を使用しなくても水に分散可能なものである。
【００２０】
前記自己分散型顔料は、限定されず、例えば、特開平８−３４９８号公報、特表２０００−５１３３９６号公報等に記載の方法によって表面処理された自己分散型顔料を用いることができる。前記自己分散型顔料は、例えば、市販品を用いてもよい。前記市販品としては、例えば、キャボット・スペシャルティ・ケミカルズ社製の「ＣＡＢ−Ｏ−ＪＥＴ（登録商標）２００」、「ＣＡＢ−Ｏ−ＪＥＴ（登録商標）２５０」、「ＣＡＢ−Ｏ−ＪＥＴ（登録商標）２６０」、「ＣＡＢ−Ｏ−ＪＥＴ（登録商標）２７０」、「ＣＡＢ−Ｏ−ＪＥＴ（登録商標）３００」および「ＣＡＢ−Ｏ−ＪＥＴ（登録商標）７００」；オリエント化学工業（株）製の「ＢＯＮＪＥＴ（登録商標）ＢＬＡＣＫ  ＣＷ−１」、「ＢＯＮＪＥＴ（登録商標）ＢＬＡＣＫ  ＣＷ−２」および「ＢＯＮＪＥＴ（登録商標）ＢＬＡＣＫ  ＣＷ−３」；東洋インキ製造（株）製の「ＬＩＯＪＥＴ（登録商標）ＷＤ  ＢＬＡＣＫ  ００２Ｃ」；等があげられる。
【００２１】
前記自己分散型顔料の原料として用いることができる顔料は、限定されず、無機顔料および有機顔料のいずれも使用することができる。また、前記表面処理を行うのに適した無機顔料としては、例えば、三菱化学（株）製の「ＭＡ８」および「ＭＡ１００」；デグサ社製の「カラーブラックＦＷ２００」；等のカーボンブラックがあげられる。
【００２２】
前記インク全量に対する前記顔料の配合量（顔料割合）は、限定されず、例えば、所望の光学濃度または色彩等により、適宜決定できる。前記顔料割合は、例えば、０．１重量％〜２０重量％であり、好ましくは、１重量％〜１０重量％であり、より好ましくは、２重量％〜８重量％である。前記顔料は、１種類を単独で用いてもよいし、２種類以上を併用してもよい。
【００２３】
前記染料は、限定されず、例えば、直接染料、酸性染料、塩基性染料、反応性染料等があげられる。前記染料の具体例としては、例えば、Ｃ．Ｉ．ダイレクトブラック、Ｃ．Ｉ．ダイレクトブルー、Ｃ．Ｉ．ダイレクトレッド、Ｃ．Ｉ．ダイレクトイエロー、Ｃ．Ｉ．ダイレクトオレンジ、Ｃ．Ｉ．ダイレクトバイオレット、Ｃ．Ｉ．ダイレクトブラウン、Ｃ．Ｉ．ダイレクトグリーン、Ｃ．Ｉ．アシッドブラック、Ｃ．Ｉ．アシッドブルー、Ｃ．Ｉ．アシッドレッド、Ｃ．Ｉ．アシッドイエロー、Ｃ．Ｉ．アシッドオレンジ、Ｃ．Ｉ．アシッドバイオレット、Ｃ．Ｉ．ベーシックブラック、Ｃ．Ｉ．ベーシックブルー、Ｃ．Ｉ．ベーシックレッド、Ｃ．Ｉ．ベーシックバイオレットおよびＣ．Ｉ．フードブラック等があげられる。前記Ｃ．Ｉ．ダイレクトブラックとしては、例えば、Ｃ．Ｉ．ダイレクトブラック１７、１９、３２、５１、７１、１０８、１４６、１５４および１６８等があげられる。前記Ｃ．Ｉ．ダイレクトブルーとしては、例えば、Ｃ．Ｉ．ダイレクトブルー６、２２、２５、７１、８６、９０、１０６および１９９等があげられる。前記Ｃ．Ｉ．ダイレクトレッドとしては、例えば、Ｃ．Ｉ．ダイレクトレッド１、４、１７、２８、８３および２２７等があげられる。前記Ｃ．Ｉ．ダイレクトイエローとしては、例えば、Ｃ．Ｉ．ダイレクトイエロー１２、２４、２６、８６、９８、１３２および１４２等があげられる。前記Ｃ．Ｉ．ダイレクトオレンジとしては、例えば、Ｃ．Ｉ．ダイレクトオレンジ３４、３９、４４、４６および６０等があげられる。前記Ｃ．Ｉ．ダイレクトバイオレットとしては、例えば、Ｃ．Ｉダイレクトバイオレット４７および４８等があげられる。前記Ｃ．Ｉ．ダイレクトブラウンとしては、例えば、Ｃ．Ｉ．ダイレクトブラウン１０９等があげられる。前記Ｃ．Ｉ．ダイレクトグリーンとしては、例えば、Ｃ．Ｉ．ダイレクトグリーン５９等があげられる。前記Ｃ．Ｉ．アシッドブラックとしては、例えば、Ｃ．Ｉ．アシッドブラック２、７、２４、２６、３１、５２、６３、１１２および１１８等があげられる。前記Ｃ．Ｉ．アシッドブルーとしては、例えば、Ｃ．Ｉ．アシッドブルー９、２２、４０、５９、９３、１０２、１０４、１１７、１２０、１６７、２２９および２３４等があげられる。前記Ｃ．Ｉ．アシッドレッドとしては、例えば、Ｃ．Ｉ．アシッドレッド１、６、３２、３７、５１、５２、８０、８５、８７、９２、９４、１１５、１８０、２５６、２８９、３１５および３１７等があげられる。前記Ｃ．Ｉ．アシッドイエローとしては、例えば、Ｃ．Ｉ．アシッドイエロー１１、１７、２３、２５、２９、４２、６１および７１等があげられる。前記Ｃ．Ｉ．アシッドオレンジとしては、例えば、Ｃ．Ｉ．アシッドオレンジ７および１９等があげられる。前記Ｃ．Ｉ．アシッドバイオレットとしては、例えば、Ｃ．Ｉ．アシッドバイオレット４９等があげられる。前記Ｃ．Ｉ．ベーシックブラックとしては、例えば、Ｃ．Ｉ．ベーシックブラック２等があげられる。前記Ｃ．Ｉ．ベーシックブルーとしては、例えば、Ｃ．Ｉ．ベーシックブルー１、３、５、７、９、２４、２５、２６、２８および２９等があげられる。前記Ｃ．Ｉ．ベーシックレッドとしては、例えば、Ｃ．Ｉ．ベーシックレッド１、２、９、１２、１３、１４および３７等があげられる。前記Ｃ．Ｉ．ベーシックバイオレットとしては、例えば、Ｃ．Ｉ．ベーシックバイオレット７、１４および２７等があげられる。前記Ｃ．Ｉ．フードブラックとしては、例えば、Ｃ．Ｉ．フードブラック１および２等があげられる。これらの染料は、例えば、鮮明性、水溶性および安定性等の特性に優れる。
【００２４】
前記インク全量に対する前記染料の配合量（染料割合）は、限定されず、例えば、０．１重量％〜２０重量％であり、好ましくは、１重量％〜１０重量％であり、より好ましくは、２重量％〜８重量％である。前記染料は、１種類を単独で用いてもよいし、２種類以上を併用してもよい。
【００２５】
前記水は、イオン交換水または純水であることが好ましい。前記インク全量に対する前記水の配合量（水割合）は、所望のインク特性等に応じて適宜決定される。前記水割合は、例えば、他の成分の残部としてもよい。
【００２６】
前記浸透剤は、ジエチレングリコール−ｎ−ヘキシルエーテル（ＤＥＧＨＥ；（Ａ））を含む。前記浸透剤は、例えば、被記録媒体表面上でのインクの乾燥速度を調整する。前記（Ａ）の配合量（（Ａ）割合）は、前記条件（ａ）〜（ｄ）から分かるように、前記インク全量に対し、０．０５重量％〜１重量％である。前記（Ａ）割合を前記範囲とすることで、浸透性および蒸発特性に優れ、インクジェット記録装置の筐体等を形成する樹脂材料を劣化させることのないインクを得ることができる。
【００２７】
前記界面活性剤は、アセチレングリコール系界面活性剤（Ｂ１）およびポリオキシエチレンアルキルエーテル硫酸ナトリウム（Ｂ２）を含む。
【００２８】
前記（Ｂ１）は、限定されないが、前述のとおり、一般式（１）で表されるアセチレングリコール系界面活性剤を含むことが好ましい。一般式（１）において、前記ｍおよびｎは、例えば、ｍ＋ｎ＝０〜５０を満たす数であり、好ましくは、ｍ＋ｎ＝０〜２０を満たす数であり、前記アルキル基としては、例えば、メチル基、エチル基、プロピル基、イソプロピル基、ブチル基およびイソブチル基等があげられ、好ましくは、メチル基およびイソブチル基である。
【００２９】
前記（Ｂ１）は、例えば、市販品を用いてもよい。前記市販品としては、例えば、日信化学工業（株）製の「オルフィン（登録商標）Ｅ１００４」、「オルフィン（登録商標）Ｅ１０１０」、「サーフィノール（登録商標）４４０」および「サーフィノール（登録商標）４６５」；川研ファインケミカル（株）製の「アセチレノール（登録商標）Ｅ４０」および「アセチレノール（登録商標）Ｅ１００」；等があげられる。
【００３０】
前記インク全量に対する前記（Ｂ１）の配合量（（Ｂ１）割合）は、前記条件（ａ）〜（ｄ）のうちの少なくとも一つの条件を満たす割合であれば、限定されず、例えば、０．００１重量％〜２０重量％である。前記（Ｂ１）割合を前記範囲とすることで、浸透性および蒸発特性に優れたインクを得ることができる。前記（Ｂ１）割合は、好ましくは、０．０１重量％〜１０重量％である。
【００３１】
前記（Ｂ２）としては、例えば、一般式（２）で表される化合物があげられる。
【化２】
2010077279.tif 000004
一般式（２）において、Ｒ５は、例えば、炭素原子数１０〜１８の直鎖アルキル基であり、好ましくは、炭素原子数１０〜１６の直鎖アルキル基であり、ｘ（ポリオキシエチレン重合度）は、例えば、０〜１５であり、好ましくは、０〜９である。なお、ｘの平均（ポリオキシエチレン平均重合度）は、１〜４である。
【００３２】
前記（Ｂ２）は、例えば、市販品を用いてもよい。前記市販品としては、例えば、ライオン（株）製の「サンノール（登録商標）ＮＬ１４３０」；花王（株）製の「エマール（登録商標）２０Ｃ」、「エマール（登録商標）Ｅ−２７Ｅ」、「エマール（登録商標）３２７」および「ラテムル（登録商標）Ｅ−１５０」；三洋化成工業（株）製の「ビューライト（登録商標）ＮＡ−２５Ｓ」等があげられる。
【００３３】
前記インク全量に対する前記（Ｂ２）の配合量（（Ｂ２）割合）は、前記条件（ａ）〜（ｄ）のうちの少なくとも一つの条件を満たす割合であれば、限定されず、例えば、０．００１重量％〜２０重量％である。前記（Ｂ２）割合を前記範囲とすることで、撥水性に優れたインクを得ることができる。前記（Ｂ２）割合は、好ましくは、０．０１重量％〜１０重量％である。
【００３４】
本発明のインクジェット記録用水性インクは、本発明の効果を損なわない範囲で、前記（Ｂ１）および前記（Ｂ２）以外の界面活性剤を含んでもよい。前記（Ｂ１）および前記（Ｂ２）以外の界面活性剤は、限定されず、例えば、花王（株）製のアニオン界面活性剤「ＥＭＡＬ（登録商標）」シリーズ、「ＬＡＴＥＭＵＬ（登録商標）」シリーズ、「ＶＥＮＯＬ（登録商標）」シリーズ、「ＮＥＯＰＥＬＥＸ（登録商標）」シリーズ、ＮＳ  ＳＯＡＰ、ＫＳ  ＳＯＡＰ、ＯＳ  ＳＯＡＰ、「ＰＥＬＥＸ（登録商標）」シリーズ等；ライオン（株）製のアニオン界面活性剤「ＬＩＰＯＬＡＮ（登録商標）」シリーズ、「ＬＩＰＯＮ（登録商標）」シリーズ、「ＳＵＮＮＯＬ（登録商標）」シリーズ、「ＬＩＰＯＴＡＣ（登録商標）」シリーズ、「ＥＮＡＧＩＣＯＬ（登録商標）」シリーズ、「ＬＩＰＡＬ（登録商標）」シリーズ、「ＬＯＴＡＴ（登録商標）」シリーズ等；花王（株）製のノニオン界面活性剤「ＥＭＵＬＧＥＮ（登録商標）」シリーズ、「ＲＨＥＯＤＯＬ（登録商標）」シリーズ、「ＥＭＡＳＯＬ（登録商標）」シリーズ、「ＥＸＣＥＬ（登録商標）」シリーズ、「ＥＭＡＮＯＮ（登録商標）」シリーズ、「ＡＭＩＥＴ（登録商標）」シリーズ、「ＡＭＩＮＯＮ（登録商標）」シリーズ等；ライオン（株）製のノニオン界面活性剤「ＤＯＢＡＮＯＸ（登録商標）」シリーズ、「ＬＥＯＣＯＬ（登録商標）」シリーズ、「ＬＥＯＸ（登録商標）」シリーズ、「ＬＡＯＬ（登録商標）」シリーズ、「ＬＥＯＣＯＮ（登録商標）」シリーズ、「ＬＩＯＮＯＬ（登録商標）」シリーズ、「ＣＡＤＥＮＡＸ（登録商標）」シリーズ、「ＬＩＯＮＯＮ（登録商標）」シリーズ、「ＬＥＯＦＡＴ（登録商標）」シリーズ等があげられる。前記（Ｂ１）および前記（Ｂ２）以外の界面活性剤は、１種類だけ用いてもよいし、２種類以上用いてもよい。
【００３５】
本発明のインクジェット記録用水性インクは、さらに、湿潤剤を含むことが好ましい。前記湿潤剤は、例えば、インクジェットヘッドの先端部におけるインクの乾燥を防止する。
【００３６】
前記湿潤剤は、限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール、アルキレングリコール、グリセリン等の多価アルコール；２−ピロリドン；Ｎ−メチル−２−ピロリドン；１，３−ジメチル−２−イミダゾリジノン等があげられる。前記ポリアルキレングリコールは、限定されず、例えば、ポリエチレングリコール、ポリプロピレングリコール等があげられる。前記アルキレングリコールは、限定されず、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの中でも、アルキレングリコール、グリセリン等の多価アルコールが好適である。前記湿潤剤は、１種類を単独で用いてもよいし、２種類以上を併用してもよい。
【００３７】
前記インク全量に対する前記湿潤剤の配合量（湿潤剤割合）は、特に制限されず、例えば、０重量％〜９５重量％であり、好ましくは、１０重量％〜８０重量％であり、より好ましくは、１０重量％〜５０重量％である。
【００３８】
本発明のインクジェット記録用水性インクは、必要に応じて、さらに、従来公知の添加剤を含んでもよい。前記添加剤としては、例えば、粘度調整剤、表面張力調整剤、防黴剤等があげられる。前記粘度調整剤は、限定されず、例えば、ポリビニルアルコール、セルロース、水溶性樹脂等があげられる。
【００３９】
本発明のインクジェット記録用水性インクは、例えば、着色剤、水、浸透剤および界面活性剤と、必要に応じて他の添加成分とを、従来公知の方法で均一に混合し、フィルタ等で不溶解物を除去することにより調製できる。
【００４０】
前述のとおり、本発明のインクジェット記録用水性インクは、浸透剤として前記ＤＥＧＨＥ（Ａ）を用い、かつ、前記アセチレングリコール系界面活性剤（Ｂ１）および前記ポリオキシエチレンアルキルエーテル硫酸ナトリウム（Ｂ２）を含み、さらに、前記（Ａ）、前記（Ｂ１）および前記（Ｂ２）が前記条件（ａ）〜（ｄ）のうちの少なくとも一つの条件を満たす割合で配合されている。前記（Ａ）は、その配合量を増やすと、浸透性は向上するが、撥水性は低下し、インクジェット記録装置の筐体等を形成する樹脂材料を劣化させやすくなる。また、前記（Ａ）と前記（Ｂ１）を併用すると、浸透性はさらに向上するが、蒸発特性および撥水性が低下する。そして、前記（Ａ）および前記（Ｂ１）に前記（Ｂ２）を添加すると、撥水性は向上するが、特に前記（Ｂ２）の配合量を増した場合、蒸発特性が低下する。このように、前記（Ａ）、前記（Ｂ１）および前記（Ｂ２）の配合量は、得られるインクの特性に大きく影響するところ、本発明のインクジェット記録用水性インクでは、前述のとおり、前記（Ａ）、前記（Ｂ１）および前記（Ｂ２）が前記条件（ａ）〜（ｄ）のうちの少なくとも一つの条件を満たす割合で配合されていることにより、前記（Ａ）、前記（Ｂ１）および前記（Ｂ２）がそれぞれの特性を発揮し、かつ、前記（Ａ）、前記（Ｂ１）および前記（Ｂ２）の相乗効果を生じる。この結果、本発明のインクジェット記録用水性インクでは、前述のとおり、高い浸透性、蒸発特性および撥水性が達成され、しかもインクジェット記録装置の筐体等を形成する樹脂材料を劣化させることがない。
【００４１】
本発明のインクジェット記録用水性インクの粘度は、２．８ｍＰａ・ｓ〜３．２ｍＰａ・ｓであることが好ましい。前記インクの粘度は、例えば、回転粘度計で測定できる。前記回転粘度計としては、例えば、ＢＲＯＯＫＦＩＥＬＤ社製の回転粘度計（例えば、型式：ＤＶ−II＋）等があげられる。前記測定条件は、例えば、温度：２５℃、回転数：６０回転／分である。
【００４２】
つぎに、本発明のインクカートリッジについて説明する。前述のとおり、本発明のインクカートリッジは、インクジェット記録用水性インクを含むインクカートリッジであって、前記インクが、本発明のインクジェット記録用水性インクであることを特徴とする。本発明のインクカートリッジの本体としては、例えば、従来公知のものを使用できる。
【００４３】
図２に、本発明のインクカートリッジの一例を示す。図２（Ａ）は、使用開始前（インクジェット記録装置に搭載される前）のインクカートリッジ２ａを示し、図２（Ｂ）は、インクジェット記録装置のキャリッジ５に搭載された使用途中のインクカートリッジ２ａを示す。同図に示すように、本発明のインクカートリッジ２ａには、撥水性に優れた本発明のインクジェット記録用水性インクが充填されているので、インクカートリッジ２ａ壁面にインク３０が付着しにくく、インク残量を外側から確認しやすくなり、また、インクを無駄にすることがなくなる。
【００４４】
前記インクカートリッジは、ポリプロピレン（ＰＰ）、ポリエチレン（ＰＥ）、ＡＢＳ樹脂、ＡＥＳ樹脂、ポリスチレン（ＰＳ）等の樹脂で形成されていることが好ましく、ポリプロピレン（ＰＰ）で形成されていることが特に好ましい。
【００４５】
つぎに、本発明のインクジェット記録装置について説明する。本発明のインクジェット記録装置は、インクカートリッジおよびインク吐出手段を含み、前記インクカートリッジ中のインクが、前記インク吐出手段から吐出されるインクジェット記録装置であって、前記インクカートリッジが本発明のインクカートリッジであることを特徴とする。これを除き、本発明のインクジェット記録装置の構成は、例えば、従来公知のインクジェット記録装置と同様であってもよい。
【００４６】
図３に、本発明のインクジェット記録装置の一例の構成を示す。図示のとおり、このインクジェット記録装置１は、４つのインクカートリッジ２と、インクジェットヘッド３と、ヘッドユニット４と、キャリッジ５と、駆動ユニット６と、プラテンローラ７と、パージ装置８とを主要な構成部材として含む。
【００４７】
前記４つのインクカートリッジ２は、イエロー、マゼンタ、シアンおよびブラックの４色のインクを、それぞれ１色ずつ含む。例えば、前記４つのインクカートリッジ２が、本発明のインクカートリッジである。前記インクジェットヘッド３は、記録紙等の被記録媒体Ｐに印字を行う。前記ヘッドユニット４は、前記インクジェットヘッド３を備えている。前記キャリッジ５には、前記４つのインクカートリッジ２および前記ヘッドユニット４が搭載される。前記駆動ユニット６は、前記キャリッジ５を直線方向に往復移動させる。前記プラテンローラ７は、前記キャリッジ５の往復方向に延び、前記インクジェットヘッド３と対向して配置されている。
【００４８】
前記駆動ユニット６は、キャリッジ軸９と、ガイド板１０と、２つのプーリ１１および１２と、エンドレスベルト１３とを含む。前記キャリッジ軸９は、前記キャリッジ５の下端部に配置され、前記プラテンローラ７と平行に延びている。前記ガイド板１０は、前記キャリッジ５の上端部に配置され、前記キャリッジ軸９と平行に延びている。前記２つのプーリ１１および１２は、前記キャリッジ軸９と前記ガイド板１０との間であって、前記キャリッジ軸９の両端部に配置されている。前記エンドレスベルト１３は、前記２つのプーリ１１および１２の間に掛け渡されている。
【００４９】
このインクジェット記録装置１において、前記プーリ１１がキャリッジモータ１０１の駆動により正逆回転されると、前記プーリ１１の正逆回転に伴って、前記エンドレスベルト１３に接合されている前記キャリッジ５が、前記キャリッジ軸９および前記ガイド板１０に沿って、直線方向に往復移動する。
【００５０】
前記被記録媒体Ｐは、このインクジェット記録装置１の側方又は下方に設けられた給紙カセット（図示せず）から給紙される。前記被記録媒体Ｐは、前記インクジェットヘッド３と、前記プラテンローラ７との間に導入される。すると、前記被記録媒体Ｐに、前記インクジェットヘッド３から吐出されるインクにより所定の印字がなされる。前記被記録媒体Ｐは、その後、前記インクジェット記録装置１から排紙される。図３においては、前記被記録媒体Ｐの給紙機構および排紙機構の図示を省略している。
【００５１】
前記パージ装置８は、前記プラテンローラ７の側方に設けられ、前記ヘッドユニット４がリセット位置（この例においては、前記パージ装置８の上部）にある時に、前記インクジェットヘッド３と対向するように配置されている。前記パージ装置８は、パージキャップ１４と、ポンプ１５およびカム１６と、インク貯留部１７とを含む。前記パージキャップ１４は、前記ヘッドユニット４が前記リセット位置にある時に、前記インクジェットヘッド３の複数のノズル（図示せず）を覆う。前記ポンプ１５は、前記カム１６の駆動により前記インクジェットヘッド３の内部に溜まる気泡等を含んだ不良インクを吸引する。これにより、前記インクジェットヘッド３の回復が図られる。前記吸引された不良インクは、前記インク貯留部１７に貯められる。
【００５２】
前記パージ装置８の前記プラテンローラ７側の位置には、前記パージ装置８に隣接してワイパ部材２０が配設されている。前記ワイパ部材２０は、へら状に形成されており、前記キャリッジ５の移動に伴って、前記インクジェットヘッド３のノズル形成面を拭うものである。図３において、キャップ１８は、インクの乾燥を防止するため、印字が終了すると前記リセット位置に戻される前記インクジェットヘッド３の複数のノズルを覆うものである。
【００５３】
この例のインクジェット記録装置１においては、前記４つのインクカートリッジ２は、１個のキャリッジ５に搭載されている。ただし、本発明は、これに限定されない。本発明のインクジェット記録装置において、前記４つのインクカートリッジは、複数のキャリッジに搭載されていてもよい。また、前記インクカートリッジは、前記キャリッジには搭載されず、インクジェット記録装置内に配置、固定されていてもよい。この態様においては、例えば、前記インクカートリッジと、前記キャリッジに搭載された前記ヘッドユニットとが、チューブ等により連結され、前記インクカートリッジから前記ヘッドユニットに前記インクが供給される。
【００５４】
本発明のインクジェット記録装置は、図３に示したシリアル型インクジェット記録装置であってもよいし、ライン型インクジェット記録装置であってもよい。前記ライン型インクジェット記録装置とは、記録紙等の被記録媒体の幅以上の印刷幅を持つライン型インクジェットヘッドを含み、インクジェットヘッドを固定した状態で前記被記録媒体の幅方向の印刷を一括して行うことができるインクジェット記録装置である。これに対し、前記シリアル型インクジェット記録装置は、図３に示したように、インクジェットヘッド自体が前記被記録媒体表面の幅方向に移動しながら印字を行う。前記ライン型インクジェット記録装置は、同時に印刷できる印刷幅が広いため、前記シリアル型インクジェット記録装置と比較して、格段に印刷速度が速い。本発明の前記インクジェット記録用水性インクおよびインクカートリッジは、インクの浸透性に優れるため、前記ライン型インクジェット記録装置に用いることで、効率のよいインクジェット記録を実現可能である。
【実施例】
【００５５】
つぎに、本発明の実施例について比較例と併せて説明する。なお、本発明は、下記の実施例および比較例によってなんら限定ないし制限されない。
【００５６】
［実施例１〜２５および比較例１〜２７］
インク組成成分（表１および表２）のうち、「ＣＡＢ−Ｏ−ＪＥＴ（登録商標）３００」を除く成分を、均一に混合しインク溶媒を得た。つぎに、「ＣＡＢ−Ｏ−ＪＥＴ（登録商標）３００」に前記インク溶媒を徐々に加え、均一に混合した。その後、得られた混合物を東洋濾紙（株）製のセルロースアセテートタイプメンブレンフィルタ（孔径３．００μｍ）でろ過することで、実施例１〜２５および比較例１〜２７のインクジェット記録用水性インクを得た。
【００５７】
実施例および比較例のインクについて、（ｉ）着色性評価、（ｉｉ）浸透性評価、（ｉｉｉ）蒸発特性評価、（ｉｖ）撥水性評価および（ｖ）総合評価を、下記の方法により行った。
【００５８】
（ｉ）着色性評価
実施例および比較例のインクに、それぞれ、ポリスチレン（出光石油化学（株）製、グレードＨＴ−５５）試験片（縦７０ｍｍ×横１５ｍｍ×厚み３ｍｍ）が半分ほど浸るように入れて密閉し、６０℃の恒温槽で２週間保存した。前記保存後、前記インクから前記試験片を取り出し、こすり洗浄した後、前記試験片を目視で観察し、下記評価基準に従って評価した。
【００５９】
着色性評価  評価基準
Ａ：試験片は、染色されなかった。
Ｃ：試験片は、インクに浸漬された部分が染色されていた。
【００６０】
（ｉｉ）浸透性評価
ブラザー工業（株）製のインクジェットプリンタ搭載デジタル複合機ＤＣＰ−３５０Ｃを使用して、一液滴量を約２８ｐＬ〜３０ｐＬに設定し、実施例および比較例のインクを用いて普通紙（ＸＥＲＯＸ社製の「Ｒｅｃｙｃｌｅｄ  Ｓｕｐｅｒｅｍｅ」）上に、解像度６００ｄｐｉで１ドット線を印字した。前記１ドット線の線幅を、ＱＥＡ社製のパーソナルＩＡＳにより測定し、下記評価基準に従って評価した。
【００６１】
浸透性評価  評価基準
Ａ：前記線幅が、１２０μｍ〜１３０μｍであった。
Ｃ（１）：前記線幅が、１２０μｍ未満であった。
Ｃ（２）：前記線幅が、１３０μｍを超えた。
【００６２】
（ｉｉｉ）蒸発特性評価
実施例および比較例のインク５ｇを、それぞれ、ガラス製の開放瓶（口径：２０．２ｍｍ）に注入した。その開放瓶を温度６０℃、相対湿度４０％の恒温槽中に、２４時間ごとに測定した際の重量変化が、２４時間前と比較して±０．０１ｇ以下となるまで保存した。前記保存後、前記開放瓶内のインクの状態を目視で観察し、下記評価基準に従って評価した。
【００６３】
蒸発特性評価  評価基準
Ｓ：開放瓶に傾斜や振動を付与すると、インクが流動した。
Ａ：開放瓶に傾斜や振動を付与しても、インクが流動しなかった。
Ｃ：インクが乾固していた。
【００６４】
なお、前記蒸発特性評価の評価基準Ｓ、ＡおよびＣは、それぞれ、経験的に下記吐出安定性Ｓ’、Ａ’およびＣ’と相関がある。
Ｓ’：連続噴射において吐出安定性に問題がない。
Ａ’：連続噴射において吐出がわずかに不安定になる。
Ｃ’：連続噴射中に吐出が不安定になり、そのまま回復しない。
【００６５】
（ｉｖ）撥水性評価
図４（Ａ）に示すように、実施例および比較例のインク３０に、それぞれ、ポリプロピレン（（株）プライムポリマー製、グレードＪ２０００ＧＰ）試験片４０（縦７０ｍｍ×横１５ｍｍ×厚み４ｍｍ；ＪＩＳ  Ｂ  ０６０１（１９９４年版）に基づく算術平均粗さ（Ｒａ）が０．１）を、全体積の半分程度まで浸漬させた。ついで、図４（Ｂ）に示すように、前記試験片４０を、直立状態で前記インク３０から取り出してから６０秒経過後、前記試験片４０の浸漬させた部分の表面に付着している前記インク３０の量（付着インク量）を目視で観察し、下記評価基準に従って評価した。
【００６６】
撥水性評価  評価基準
Ｓ：付着インク量が、試験片の浸漬させた部分の表面積の１割以下であった（撥水性良好）。
Ａ：付着インク量が、試験片の浸漬させた部分の表面積の１割を超え、３割以下であった（撥水性やや良好）。
Ｂ：付着インク量が、試験片の浸漬させた部分の表面積の３割を超え、８割以下であった（若干の撥水性あり）。
Ｃ：付着インク量が、試験片の浸漬させた部分の表面積の８割を超えた（撥水性不良）。
【００６７】
（ｖ）総合評価
実施例および比較例のインクについて、前記（ｉ）〜（ｉｖ）の結果から、下記評価基準に従って総合評価を行った。
【００６８】
総合評価  評価基準
Ａ：すべての評価結果がＳまたはＡであった。
Ｂ：評価結果のいずれかにＢがあったが、Ｃはなかった。
Ｃ：評価結果のいずれかにＣがあった。
【００６９】
実施例のインク組成および評価結果を表１に示す。また、比較例のインク組成および評価結果を表２に示す。
【００７０】
【表１】
2010077279.tif 000005
【００７１】
【表２】
2010077279.tif 000006
【００７２】
表１に示すとおり、実施例１〜２５のインクは、着色性評価、浸透性評価、蒸発特性評価および撥水性評価のすべての結果が良好であった。一方、表２に示すとおり、前記（Ａ）の配合量が少なく、かつ前記（Ｂ１）の配合量が多く、前記条件（ａ）〜（ｄ）を一つも満たさない比較例１のインクは、浸透性評価および撥水性評価の結果が劣っていた。また、前記（Ｂ１）の配合量が多く、前記条件（ａ）〜（ｄ）を一つも満たさない比較例２のインクは、浸透性評価および撥水性評価の結果が劣っていた。そして、前記（Ｂ２）の配合量が多く、前記条件（ａ）〜（ｄ）を一つも満たさない比較例３、５、９、１２、１５、１８および２０のインクは、蒸発特性評価の結果が劣っていた。さらに、前記（Ｂ２）の配合量が少なく、前記条件（ａ）〜（ｄ）を一つも満たさない比較例４、６、１０、１３、１９および２１のインクは、撥水性評価の結果が劣っていた。さらに、前記（Ｂ１）の配合量が少なく、前記条件（ａ）〜（ｄ）を一つも満たさない比較例７、８、１４、１６および２２のインクは、浸透性評価の結果が劣っていた。さらに、前記（Ｂ１）および前記（Ｂ２）の配合量が多く、前記条件（ａ）〜（ｄ）を一つも満たさない比較例１１および１７のインクは、浸透性評価および蒸発特性評価の結果が劣っていた。さらに、前記（Ａ）の配合量が多く、前記条件（ａ）〜（ｄ）を一つも満たさない比較例２３のインクは、着色性評価および浸透性評価の結果が劣っていた。さらに、前記（Ａ）を含まない比較例２４および２５のインクは、前記（Ａ）の代わりに配合したトリエチレングリコール−ｎ−ブチルエーテルまたはジプロピレングリコール−ｎ−プロピルエーテルによって、蒸発特性評価の結果が劣っていた。さらに、前記（Ｂ１）を含まない比較例２６のインクは、浸透性評価の結果が劣っていた。さらに、前記（Ｂ２）を含まない比較例２７のインクは、撥水性評価の結果が劣っていた。
【産業上の利用可能性】
【００７３】
以上のように、本発明のインクジェット記録用水性インクは、浸透性、蒸発特性および撥水性に優れ、しかもインクジェット記録装置の筐体等を形成する樹脂材料を劣化させることのないものである。本発明のインクジェット記録用水性インクの用途は、限定されず、各種のインクジェット記録に広く適用可能である。
【図面の簡単な説明】
【００７４】
【図１】図１は、本発明のインクジェット記録用水性インクにおける前記（Ａ）の配合量（ｘ）、前記（Ｂ１）の配合量（ｙ）および前記（Ｂ２）の配合量（ｚ）を説明するための図である。
【図２】図２は、本発明のインクカートリッジの一例を示す斜視図である。
【図３】図３は、本発明のインクジェット記録装置の構成の一例を示す概略斜視図である。
【図４】図４は、本発明の一実施例における撥水性評価方法について説明するための図である。
【符号の説明】
【００７５】
１          インクジェット記録装置
２、２ａ    インクカートリッジ
３          インクジェットヘッド
４          ヘッドユニット
５          キャリッジ
６          駆動ユニット
７          プラテンローラ
８          パージ装置
９          キャリッジ軸
１０        ガイド板
３０        インクジェット記録用水性インク
４０        試験片
【図１】
2010077279.tif 000008
【図２】
2010077279.tif 000009
【図３】
2010077279.tif 000010
【図４】
2010077279.tif 000011